(57)【要約】  【課題】  カチューシャに疑似毛髪を取り付けた部分かつらにおいて、疑似毛髪が抜けづらい部分かつらを提供する。  【解決手段】  カチューシ１０の前部及び／又は後部に、使用者の自毛と合わせて頭髪を構成する疑似毛髪２ａ，２ｂが取り付けられて構成される部分かつら１であって、擬似毛髪２ａ，２ｂは、カチューシャ１０の所定位置に取り付けられた台座１２に縫い付けられて固定される。  【選択図】  図３
0003110844.tif 000002
【実用新案登録請求の範囲】
【請求項１】
カチューシャの前部及び／又は後部に、使用者の自毛と合わせて頭髪を構成する疑似毛髪が取り付けられて構成される部分かつらであって、
前記擬似毛髪は、前記カチューシャの所定位置に取り付けられた台座に縫い付けられて固定されることを特徴とする部分かつら。
【請求項２】
前記台座は、前記カチューシャの表面及び／又は裏面に取り付けられることを特徴とする請求項１に記載の部分かつら。
【請求項３】
前記台座は、前記カチューシャを取り囲む袋状部材であることを特徴とする請求項１に記載の部分かつら。
【請求項４】
前記擬似毛髪は、前記袋状部材の全面或いは一部に縫い付けられることを特徴とする請求項３に記載の部分かつら。
【請求項５】
前記疑似毛髪のうち、前部側疑似毛髪と後部側疑似毛髪とがそれぞれ別々に前記台座に縫い付けられることを特徴とする請求項１から請求項４のうちいずれか一項に記載の部分かつら。
【請求項６】
前記前部側疑似毛髪と前記後部側疑似毛髪とを重ね合わせて縫い付けることを特徴とする請求項５に記載の部分かつら。
【考案の詳細な説明】
【技術分野】
【０００１】
本発明は、使用者の自毛と合わせて使用者の頭髪を構成する部分カツラに関する。
【背景技術】
【０００２】
近年、ファッションへの関心の高まりとともに、本来は頭髪の不具を補うものであったカツラが、被服と同様、装いのひとつのアイテムとして取り入れられるようになってきている。特に、部分的な頭髪の不具を補う部分かつらとして、カチューシャに使用者の自毛と合わせて頭髪を構成する疑似毛髪を取り付けたものが注目されている。
【考案の開示】
【考案が解決しようとする課題】
【０００３】
カチューシャに疑似毛髪を取り付けた部分かつらでは、従来、接着剤を用いて擬似毛髪をカチューシャに固定する方法が採られていた。
しかしながら、接着剤を用いた場合には、固定力が弱いために擬似毛髪が抜けやすい、又は擬似毛髪がずれて形が崩れてしまうという問題がある。特に、疑似毛髪として人毛を用いた場合には、汚れやすいため、頻繁に部分かつらを洗浄する必要があり、接着剤を用いた固定方法では、部分かつらの商品寿命が短くなってしまうという問題がある。
【０００４】
本考案は、上述した事情に鑑みてなされたもので、カチューシャに疑似毛髪を取り付けた部分かつらにおいて、疑似毛髪が抜けづらい部分かつらを提供することを目的とする。
【課題を解決するための手段】
【０００５】
本考案に係る部分かつらでは、上記課題を解決するために以下の手段を採用した。
本考案は、カチューシの前部及び／又は後部に、使用者の自毛と合わせて頭髪を構成する疑似毛髪が取り付けられて構成される部分かつらであって、前記擬似毛髪は、前記カチューシャの所定位置に取り付けられた台座に縫い付けられて固定されることを特徴とする。
【０００６】
また、前記台座は、前記カチューシャの表面及び／又は裏面に取り付けられることを特徴とする。
また、前記台座は、前記カチューシャを取り囲む袋状部材であることを特徴とする。
また、前記擬似毛髪は、前記袋状部材の全面或いは一部に縫い付けられることを特徴とする。
また、前記疑似毛髪のうち、前部側疑似毛髪と後部側疑似毛髪とがそれぞれ別々に前記台座に縫い付けられることを特徴とする。
また、前記前部側疑似毛髪と前記後部側疑似毛髪とを重ね合わせて縫い付けることを特徴とする。
【考案の効果】
【０００７】
本考案によれば以下の効果を得ることができる。
この考案によれば、部分かつらにおける擬似毛髪が、カチューシャに強固に固定されるので、部分かつらを洗浄した際に、擬似毛髪が抜けづらくなる。したがって、部分かつらの商品寿命が長くなり、商品価値が高くなる。
【考案を実施するための最良の形態】
【０００８】
以下、本考案の部分かつらの実施形態について図を参照して説明する。
図１は部分かつら１を示す外観図、図２は部分かつら１の断面図である。
部分かつら１は、疑似毛髪２がカチューシャ１０に保持されて構成される。
カチューシャ１０は、カチューシャ本体１１、カチューシャ本体１１を覆う袋状部材１２、カチューシャ１０の表面を装飾する意匠布１３、頭部当接部材１４等とから構成される。
【０００９】
カチューシャ本体１１は、屈曲自在なプラスチック或いは弾性変形可能な金属からなり、両端部を互いに接近させた略Ｕ字型（いわゆる馬蹄形）に形成される。つまり、湾曲部１１ａと、その端部１１ｂ、１１ｂを互いに近接する方向に延ばした延出部１１ｃ、１１ｃとを有するものである。これにより、頭部を挟み込む圧着力を発生させる。
【００１０】
そして、カチューシャ本体１１は、袋状部材１２に収容される。袋状部材１２は、細長く形成された布製袋であって、カチューシャ本体１１が直接、使用者の頭皮に触れないようにするための保護機能の他、カチューシャ１０の裏面或いは側面を装飾する機能も有する。
更に、袋状部材１２には、図２及び図３に示すように、疑似毛髪２が縫い付けられる。疑似毛髪２は、袋状部材１２に直交する方向に向けて、袋状部材１２に沿って並べられる。そして、疑似毛髪２がカチューシャ本体１１の湾曲部１１ａに位置するように縫い付けられる。
【００１１】
なお、疑似毛髪２は、その中間部分を袋状部材１２に縫い付けられることにより、前部側疑似毛髪２ａと後部側疑似毛髪２ｂが構成される。
その他、例えば、前部側疑似毛髪２ａと後部側疑似毛髪２ｂとをそれぞれ別々に袋状部材１２に縫い付けてもよい。この場合、前部側疑似毛髪２ａと後部側疑似毛髪２ｂとを重ねて縫い付けることのより、より強固に疑似毛髪２を袋状部材１２に固定することができる。また、疑似毛髪２を一旦、細長い布に並べて縫いつけた後に、この布を袋状部材１２上に縫い付けるようにしてもよい。
【００１２】
そして、製造手順としては、疑似毛髪２を袋状部材１２に縫い付けた後に、この袋状部材１２内にカチューシャ本体１１を挿入する。これにより、疑似毛髪２がカチューシャ１０の前部側と後部側の所定位置に取り付けられる。
【００１３】
図１に戻り、袋状部材１２上には、カチューシャ１０を装飾する意匠布１３が貼り付けられる、或いは縫い付けられる。つまり、袋状部材１２における疑似毛髪２が縫い付けた面を覆い隠す。これにより、疑似毛髪２の縫い付け部分を遮蔽する。
また、カチューシャ１０の２つの端部１１ｂには、それぞれ頭部当接部材１４が取り付けられる。頭部当接部材１４は、キャップ状のウレタンゴム発泡体であり、その表面は滑性を有するように滑らかに加工されている。頭部当接部材１４は、端部１１ｂよりわずかに小さく形成された孔（不図示）にカチューシャ本体１１の端部１１ｂが挿入され、自身の弾性によって端部１１ｂを締め付けるようにしてカチューシャ本体１１に被着されている。
【００１４】
以上のように構成された部分カツラ１においては、カチューシャ１０に取り付けられた疑似毛髪２が、接着剤を用いた場合に比べて強固に固定されているので、例えば、部分カツラ１を洗浄した場合であっても、疑似毛髪２の抜けが少なくなる、又は疑似毛髪２のずれて形が崩れてしまうこともなくなる。したがって、長期間にわたってこの部分かつら１を使用することができる。
しかも、カチューシャ１０自体はアクセサリーとしての機能も有するから、外部から見えることになんらの違和感を覚えさせない。さらに、カチューシャ１０は頭部の形状に合わせた形状を有するから、装着時に不快感もない。
【００１５】
また、疑似毛髪２がカチューシャ１０の一側縁から延びるように取り付けられていることから、自毛と疑似毛髪２との境目をカチューシャ１０が隠すことになり、カツラをつけていることを周囲に気づかせないようにする配慮もなされている。
【００１６】
なお、上述した実施の形態において示した各構成部材の諸形状や組み合わせ等は一例であって、本考案の主旨から逸脱しない範囲において設計要求等に基づき種々変更可能である。本考案は、例えば以下のような変更をも含むものとする。
【００１７】
疑似毛髪２は、使用者の頭髪の状況などに対応して、湾曲部１１ａのみならず、延出部１１ｂにも配置してもよい。
また、前部側と後部側のいずれか一方にのみ疑似毛髪２を配置したり、前部側と後部側の疑似毛髪２の長さや量を適宜変更したりしてもよい。
更に、袋状部材１２の一部（面）に縫い付けられる場合に限らず、略全面に縫い付けてもよい。つまり、カチューシャ１０の裏面や側面にも疑似毛髪２を縫い付けてもよい。
【００１８】
また、疑似毛髪２を縫い付ける台座としては、袋状部材１２に限らない。例えば、台座として、布やメッシュ状部材を用いることもできる。そして、材疑似毛髪２を縫い付けた布やメッシュ状部材をカチューシャ本体１１の表面及び／又は裏面に貼り付けるようにしてもよい。
【図面の簡単な説明】
【００１９】
【図１】部分かつら１を示す外観図
【図２】部分かつら１の断面図
【図３】疑似毛髪２の縫い付け状態を示す図
【符号の説明】
【００２０】
１    部分カツラ
２    疑似毛髪
２ａ  前部側疑似毛髪
２ｂ  後部側疑似毛髪
１０  カチューシャ
１２  袋状部材（台座）
【図１】
0003110844.tif 000003
【図２】
0003110844.tif 000004
【図３】
0003110844.tif 000005